(57)【要約】【課題】どのような状況においても、ポケット内の小さなポケットに入れた物が不用意に出てこないズボンを提供する。【解決手段】第一のポケットの内部に第二のポケットを備えているズボン。第一のポケットは、外観で視認することができる。第二のポケットは、第一のポケットの口からはみ出しておらず、それが故に、外観で視認することができない。第二のポケットは、第二のポケットの口を閉じるための閉口手段を有している。【選択図】なし【特許請求の範囲】
【請求項１】
第一のポケットの内部に第二のポケットを備えているズボン。
前記第一のポケットは、外観で視認することができる。
前記第二のポケットは、前記第一のポケットの口からはみ出しておらず、それが故に、外観で視認することができない。
前記第二のポケットは、前記第二のポケットの口を閉じるための閉口手段を有している。
【請求項２】
請求項１記載のズボンであって、以下の構成を更に備えているズボン。
前記閉口手段は、ファスナー、ボタン又はホックである。
【請求項３】
請求項２記載のズボンであって、以下の構成を更に備えているズボン。
前記第二のポケットの口を覆うフラップを備えている。
前記閉口手段の一部は、前記フラップに設けられている。
【請求項４】
請求項１〜３のいずれか一項記載のズボンであって、以下の構成を更に備えているズボン。
前記第二のポケットの少なくとも一部を構成する生地は、前記第一のポケットを構成する生地よりも厚手に仕立てられている。
【発明の詳細な説明】
【技術分野】
【０００１】  本発明は、ズボンに関する。
【背景技術】
【０００２】  従来、ポケットの内部に小さなポケットを備えているズボンが知られている。【０００３】  そうしたズボンを穿いたときは、通常のポケットにはハンカチ等を入れ、小さなポケットには自宅の鍵、自転車の鍵等の大切な物を入れることが多いであろう。このズボンでは、通常のポケットからハンカチ等を取り出すときに、小さなポケットの中身がハンカチ等と一緒に引きずり出されてしまうことが防止される。なぜなら、小さなポケットは通常のポケットとは物理的に仕切られているからである。また、小さなポケットの中身を取り出すときには、通常のポケット内のハンカチ等に邪魔されずに取り出すことができる。つまり、小さなポケットは、大切な物をうっかりなくしてしまわないこと、及び、容易に取り出すことができることに役立っている。
【発明の概要】
【発明が解決しようとする課題】
【０００４】  ただ、小さなポケットには、未だ不十分な点もある。それは、状況によっては小さなポケットに入れた物が落下するということである。例えば、椅子に座って足を組んだときや、和式便所で尻を出して座っているときのように、膝の位置が足の付け根の位置よりも高い位置となる状況においては、小さなポケットの開口部が下向きとなるため、小さなポケットに入れた物が不用意に小さなポケットから出てきたり、更には通常のポケットから落下したりする虞がある。【０００５】  そこで本発明は、どのような状況においても、そうした小さなポケットに入れた物が小さなポケットから不用意に出てこないズボンを提供することを目的とする。
【課題を解決するための手段】
【０００６】  特許請求の範囲に記載したズボンによって、上記課題が解決される。
【発明の効果】
【０００７】  本発明によれば、上記課題を解決することができるズボンが提供される。
【発明を実施するための形態】
【０００８】  以下、上記背景技術の欄に記載した「通常のポケット」のことを「第一のポケット」と呼び、「小さなポケット」のことを「第二のポケット」と呼ぶ。また、ポケットに物を出し入れする部分のことを、単に「口」と呼ぶ。
【０００９】  第一のポケットは、ズボンの外観で口を視認することができるポケットである。前身頃に設けられているポケットでもよいし、後身頃に設けられているポケットでもよい。ズボン製作の習慣上、前身頃に設けられているポケットのほうが好ましく、右足側に設けられているポケットのほうが好ましい。
【００１０】  第二のポケットは、第一のポケットの内部に設けられている。第二のポケットは、第一のポケットの口からはみ出しておらず、それが故に、ズボンの外観ではその存在を視認することができないものである。つまり第二のポケットが設けられている領域は、その全体が第一のポケットの内部に収まっている。
【００１１】  第二のポケットは、袋状に形成されている第一のポケットの内部のうち、足に近い側の面に設けられていることが好ましい。
【００１２】  第二のポケットは、その口を閉じるための閉口手段を有していることが好ましい。閉口手段とは、ファスナー、ボタン又はホックである。ファスナーとしては、例えば線ファスナーや面ファスナーが挙げられる。ボタンとしては、通常のボタンのほかに、例えばスナップボタンが挙げられる。
【００１３】  ズボンは、第二のポケットの口を覆うフラップを備えていることが好ましい。フラップとは、ポケットの上部から口を塞ぐように垂れ下がる舌片状の部材である。そして、ズボンがフラップを備えている場合は、上記閉口手段の一部は、フラップに設けられていることが好ましい。例えば、閉口手段がボタンである場合は、第二のポケットの袋を構成している部分にボタンが取り付けられ、フラップにはボタン穴が設けられる。また、閉口手段が一対の面ファスナーである場合は、第二のポケットの袋を構成している部分の外側面に一方の面ファスナーが縫い付けられ、これに対向することになるフラップの内側面に他方の面ファスナーが縫い付けられる。
【００１４】  第二のポケットの少なくとも一部を構成する生地は、第一のポケットの袋体を構成する生地よりも厚手に仕立てられていることが好ましい。
【００１５】  従来のズボンでは、例えば、上記「発明が解決しようとする課題」に記載した問題点があった。これに対し、本実施形態のズボンでは第二のポケットがその口を閉じるための閉口手段を有しているため、その問題点が解決される。
【００１６】  また、第二のポケットが第一のポケットからはみ出すように設けられている場合は、第一のポケットの使用時に、常に第二のポケットの口や閉口手段が邪魔となって煩わしいのに対し、本実施形態のズボンではそうした煩わしさがない。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
第一のポケットの内部に第二のポケットを備えているズボン。
前記第一のポケットは、前身頃に設けられている。
前記第一のポケットは、外観で視認することができる。
前記第二のポケットは、前記第一のポケットの口からはみ出しておらず、それが故に、外観で視認することができない。
前記第二のポケットは、前記第一のポケットの内部のうち、足に近い側の面に設けられている。
前記第二のポケットは、前記第二のポケットの口を閉じるための閉口手段を有している。
前記閉口手段は、ファスナー、ボタン又はホックである。
前記第二のポケットの口を覆うフラップを備えている。
前記閉口手段の一部は、前記フラップに設けられている。
【請求項２】
請求項２記載のズボンであって、以下の構成を更に備えているズボン。
前記第二のポケットの少なくとも一部を構成する生地は、前記第一のポケットを構成する生地よりも厚手に仕立てられている。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
第一のポケットの内部に第二のポケットを備えているズボン。
前記第一のポケットは、前身頃に設けられている。
前記第一のポケットは、外観で視認することができる。
前記第二のポケットは、前記第一のポケットの口からはみ出しておらず、それが故に、外観で視認することができない。
前記第二のポケットは、前記第一のポケットの内部のうち、足に近い側の面に設けられている。
前記第二のポケットは、前記第二のポケットの口を閉じるための閉口手段を有している。
前記閉口手段は、ファスナー、ボタン又はホックである。
前記第二のポケットの口を覆うフラップを備えている。
前記閉口手段の一部は、前記フラップに設けられている。
【請求項２】
請求項１記載のズボンであって、以下の構成を更に備えているズボン。
前記第二のポケットの少なくとも一部を構成する生地は、前記第一のポケットを構成する生地よりも厚手に仕立てられている。